(57)【要約】【課題】  スライドによって開閉するドアが、スイングによって開閉するときに簡単な構成で、しかも、確実に戸先下がりを防止できる装置を提供すること。【解決手段】  無目内のレールに車輪と吊り枠を介して開閉ドアを吊り下げ、この開閉ドアを固定ドアに沿ってスライドにより開閉し、また、開閉ドアと固定ドアをそれぞれの回転軸を支点としてスイングにより開閉するドアの開閉装置において、前記開閉ドアの上下の回転軸に臨ませてそれぞれ上部旋回保持板と下部旋回保持板を設けたドアの開閉装置である。前記上下の回転軸は、円柱形で、かつ、両側に切欠き直線部を形成し、上部旋回保持板と下部旋回保持板は、それぞれの回転軸と同一径の円形孔部と、この円形孔部の一方端に開口した前記切欠き直線部と同一寸法の直線切欠き部とを形成したものからなる。【選択図】  図１
2006274640.tif 000002
【特許請求の範囲】
【請求項１】
無目内のレールに車輪と吊り枠を介して開閉ドアを吊り下げ、この開閉ドアを固定ドアに沿ってスライドにより開閉し、また、開閉ドアと固定ドアをそれぞれの回転軸を支点としてスイングにより開閉するドアの開閉装置において、前記開閉ドアの上下の回転軸に臨ませてそれぞれ上部旋回保持板と下部旋回保持板を設けたことを特徴とするドアの開閉装置。
【請求項２】
それぞれの回転軸は、円柱形で、かつ、両側に切欠き直線部を形成し、上部旋回保持板と下部旋回保持板は、それぞれの回転軸と同一径の円形孔部と、この円形孔部の一方端に開口した前記切欠き直線部と同一寸法の直線切欠き部とを形成したものからなることを特徴とする請求項１記載のドアの開閉装置。
【請求項３】
吊り枠の側面にレバーを進退自在に設け、この吊り枠の開放端側に臨ませて無目内にレバー用ストッパを設け、この吊り枠の閉鎖端側に、開閉ドアの上框の係止溝に係脱して開閉ドアの回転を規制する回転ストッパを、前記レバーの進退動に連動して揺動自在に設け、かつ、吊り枠に、レバーと回転ストッパを常時開閉ドアの開放方向に付勢するばねを設け、前記固定ドアのブラケットに係脱して固定ドアの回転を規制する回転ストッパを、前記吊り枠に一体に設けたＬ字押圧片の移動に連動して揺動自在に設けたことを特徴とする請求項１記載のドアの開閉装置。
【請求項４】
開閉ドアの回転を規制する回転ストッパは、上端が吊り枠の閉鎖端側の支持片に回転ピンにより軸支され、下端が開閉ドアの上框方向に伸びた係止片と、この係止片をレバーの係合切り欠きと係合する係合ピンと、吊り枠に設けられ、前記係止片とレバーを開放端側に付勢するばねと、開閉ドアの上框に設けられ、前記係止片の下端部が係脱する隙間を持って形成した係止溝とからなり、固定ドアの回転を規制する回転ストッパは、無目に軸支したピンをもって揺動自在に設けたＬ字レバーと、Ｌ字レバーの上端部に係脱するように吊り枠に設けたＬ字押圧片と、Ｌ字レバーに下向きに設けた係止杆と、この係止杆を下向きに付勢するように無目に設けたばねと、固定ドアの上框に設けられ、係止杆の係脱する係合溝を有するブラケットとからなることを特徴とする請求項３記載のドアの開閉装置。
【発明の詳細な説明】
【技術分野】
【０００１】
本発明は、開閉ドアと固定ドアを有し、通常状態では開閉ドアをスライドにより開閉するドアにおいて、開閉ドアを全開位置まで移動させることで、必要に応じて固定ドアとともにスイングにても開閉可能なドアの開閉装置に関するものである。
【背景技術】
【０００２】
スライドによっても、また、スイングによっても開閉する自動ドアについて既に知られている（特許文献１）。これは、無目内の上部レールに車輪を介して吊り枠を吊り下げ、この吊り枠にさらに開閉ドアを吊り下げたものである。そして、駆動装置の正転と逆転により駆動ベルト，駆動プーリを介して開閉ドアが吊り枠と一体に固定ドアに沿ってスライドによる開閉をする。
ここで、大きな荷物の搬出入、火災などの場合であって、開閉ドアよりも広い開口を必要とするときには、開閉ドアを外へ押し出すと、開閉ドアは、吊り枠との係止具が外れて上部回転軸を中心にスイングし、かつ、この開閉ドアのスイングにより固定ドアが押し出されて、上下の旋回支点部を中心にスイングする。開閉ドアは、スイングで開いたままで建物の柱の位置までスライドし、通常の２倍の開口が得られる。
【０００３】
このように、スライドとスイングにより開閉する開閉ドアは、スイング時に上部回転軸のある上框の端部１個所で開閉ドアの荷重を支えることになる。特に、開閉ドアが強化ガラスからなり、立て框を有しないか、あっても細幅である場合には、上框の端部１個所で開閉ドアの荷重を支えてスイングすることは戸先下がりが生じて床面に接触し、スムーズに開閉できない。
そこで、前記特許文献１では、開閉ドアの下框に、上框の上部回転軸と同一軸心となるように、鉛直軸を固着し、この鉛直軸の下端に床溝に嵌合する案内体を設けている。この案内体は、開閉ドアがスライド開閉時にスムーズに開閉するように、その幅を床溝より小さくし、開閉ドアがスイング開閉時に床溝内面に圧接するように、４５度方向の幅を床溝より大きくし、開閉ドアが９０度開放したときに再びその幅を床溝より小さくした構成としている。この結果、開閉ドアをどの位置でスイングにより開放しても、その位置から開いたままでスライドによる開閉ができるようにしている。
【０００４】
このように、案内体を、開閉ドアのスライド開閉時に床溝内面に接触せず、開閉ドアのスイング開閉時に床溝内面に圧接するようにする構成の他、開閉ドアがスイングにより開放するときに戸先がやや持ち上がるように上部回転軸の周りにカムを設けたもの（特許文献２）や、開閉ドアの下部回転軸に制動装置を設けたもの（特許文献３）などが知られている。
【特許文献１】実公昭６３―１５５０２号公報
【特許文献２】実公開５９―１２２３８０号公報
【特許文献３】実公開６０―１３３０８３号公報
【発明の開示】
【発明が解決しようとする課題】
【０００５】
以上のように、スライドによっても、また、スイングによっても開閉するドアにおいて、開閉ドアをどの位置でもスイングにより開放でき、開放したその位置から開いたままでスライドによる開閉ができるようにした構成では、スイングにより開放するとき、開閉ドアを吊り下げていた係止具が外れるのと同時に下端の案内体が床溝に圧接して戸先下がりを確実に防ぐ必要があるが、案内体は、スライドによる開閉時に可能な限り接触しないように構成されていることと、案内体の幅が開閉ドアの幅から見て極めて小さいため、開閉ドアがスイングで開放し始めたらすぐに案内体が床溝に圧接せしめるように構成することは困難である、という問題があった。
また、開閉ドアの上部回転軸は、開閉ドアがスイングにより開放するときに戸先下がりをできるだけ起こさないように特別で複雑な構造としなければならず、かつ、調整も面倒であるなどの問題があった。
【０００６】
本発明の目的は、スライドによって開閉するドアが、スイングによって開閉するときに簡単な構成で、しかも、確実に戸先下がりを防止できる装置を提供することである。
【課題を解決するための手段】
【０００７】
本発明は、無目内のレールに車輪と吊り枠を介して開閉ドアを吊り下げ、この開閉ドアを固定ドアに沿ってスライドにより開閉し、また、開閉ドアと固定ドアをそれぞれの回転軸を支点としてスイングにより開閉するドアの開閉装置において、前記開閉ドアの上下の回転軸に臨ませてそれぞれ上部旋回保持板と下部旋回保持板を設けたことを特徴とするドアの開閉装置である。
上下の回転軸は、円柱形で、かつ、両側に切欠き直線部を形成し、上部旋回保持板と下部旋回保持板は、それぞれの回転軸と同一径の円形孔部と、この円形孔部の一方端に開口した前記切欠き直線部と同一寸法の直線切欠き部とを形成したものからなるものである。
【０００８】
また、上部旋回保持板と下部旋回保持板の他に、吊り枠の側面にレバーを進退自在に設け、この吊り枠の開放端側に臨ませて無目内にレバー用ストッパを設け、この吊り枠の閉鎖端側に、開閉ドアの上框の係止溝に係脱して開閉ドアの回転を規制する回転ストッパを、前記レバーの進退動に連動して揺動自在に設け、かつ、吊り枠に、レバーと回転ストッパを常時開閉ドアの開放方向に付勢するばねを設け、前記固定ドアのブラケットに係脱して固定ドアの回転を規制する回転ストッパを、前記吊り枠に一体に設けたＬ字押圧片の移動に連動して揺動自在に設けて、開閉ドアが所定の回転位置まで移動しなければスイングによる回転ができないようにしている。
【発明の効果】
【０００９】
請求項１記載の発明によれば、無目内のレールに車輪と吊り枠を介して開閉ドアを吊り下げ、この開閉ドアを固定ドアに沿ってスライドにより開閉し、また、開閉ドアと固定ドアをそれぞれの回転軸を支点としてスイングにより開閉するドアの開閉装置において、前記開閉ドアの上下の回転軸に臨ませてそれぞれ上部旋回保持板と下部旋回保持板を設けたので、開閉ドアは、上下の回転軸がそれぞれ上部旋回保持板と下部旋回保持板に保持されて戸先下がりをすることなく確実に、しかも、スムーズに旋回することができる。
【００１０】
請求項２記載の発明によれば、それぞれの回転軸は、円柱形で、かつ、両側に切欠き直線部を形成し、上部旋回保持板と下部旋回保持板は、それぞれの回転軸と同一径の円形孔部と、この円形孔部の一方端に開口した前記切欠き直線部と同一寸法の直線切欠き部とを形成したものからなるので、開閉ドアがスライドにより開閉しているときには、上下の回転軸がそれぞれの上部旋回保持板と下部旋回保持板に何ら邪魔にならず、また、開閉ドアがスイングにより旋回するときは、わずかな旋回で上下の回転軸がきわめて簡単な構成のそれぞれの上部旋回保持板と下部旋回保持板に確実に保持される。
【００１１】
請求項３記載の発明によれば、吊り枠の側面にレバーを進退自在に設け、この吊り枠の開放端側に臨ませて無目内にレバー用ストッパを設け、この吊り枠の閉鎖端側に、開閉ドアの上框の係止溝に係脱して開閉ドアの回転を規制する回転ストッパを、前記レバーの進退動に連動して揺動自在に設け、かつ、吊り枠に、レバーと回転ストッパを常時開閉ドアの開放方向に付勢するばねを設け、前記固定ドアのブラケットに係脱して固定ドアの回転を規制する回転ストッパを、前記吊り枠に一体に設けたＬ字押圧片の移動に連動して揺動自在に設けたので、開閉ドアと固定ドアは、旋回位置まで移動しなければ旋回することができないような構成とすることができる。
【００１２】
請求項４記載の発明によれば、開閉ドアの回転を規制する回転ストッパは、係止片と、係合ピンと、ばねと、係止溝とで構成し、また、固定ドアの回転を規制する回転ストッパは、Ｌ字レバーと、Ｌ字押圧片と、係止杆と、ばねと、ブラケットとで構成するだけであり、開閉ドアと固定ドアが旋回位置まで移動しなければ旋回することができないような構成を簡単な部品だけで安価に製造することができる。
【発明を実施するための最良の形態】
【００１３】
本発明は、無目内のレールに車輪と吊り枠を介して開閉ドアを吊り下げ、この開閉ドアを固定ドアに沿ってスライドにより開閉し、また、開閉ドアと固定ドアをそれぞれの回転軸を支点としてスイングにより開閉するドアの開閉装置に適用される。開閉ドアは、両引きタイプであっても、片引きタイプであっても良い。
【００１４】
このようなドアにおいて、本発明では、開閉ドアの上下の回転軸に臨ませてそれぞれ上部旋回保持板と下部旋回保持板を設ける。
上下それぞれの回転軸は、円柱形で、かつ、両側に切欠き直線部を形成する。また、上部旋回保持板と下部旋回保持板は、それぞれの回転軸と同一径の円形孔部と、この円形孔部の一方端に開口した前記切欠き直線部と同一寸法の直線切欠き部とを形成したものとする。
【００１５】
また、開閉ドアは、どの位置でもスイングにより開閉するものではなく、所定の位置まで移動したときにスイングによる開閉が可能な状態にする。そのため、吊り枠の側面にレバーを進退自在に設け、この吊り枠の開放端側に臨ませて無目内にレバー用ストッパを設け、この吊り枠の閉鎖端側に、開閉ドアの上框の係止溝に係脱して開閉ドアの回転を規制する回転ストッパを、前記レバーの進退動に連動して揺動自在に設け、かつ、吊り枠に、レバーと回転ストッパを常時開閉ドアの開放方向に付勢するばねを設け、前記固定ドアのブラケットに係脱して固定ドアの回転を規制する回転ストッパを、前記吊り枠に一体に設けたＬ字押圧片の移動に連動して揺動自在に設ける。
【００１６】
より具体的には、開閉ドアの回転を規制する回転ストッパは、上端が吊り枠の閉鎖端側の支持片に回転ピンにより軸支され、下端が開閉ドアの上框方向に伸びた係止片と、この係止片をレバーの係合切り欠きと係合する係合ピンと、吊り枠に設けられ、前記係止片とレバーを開放端側に付勢するばねと、開閉ドアの上框に設けられ、前記係止片の下端部が係脱する隙間を持って形成した係止溝とからなり、固定ドアの回転を規制する回転ストッパは、無目に軸支したピンをもって揺動自在に設けたＬ字レバーと、Ｌ字レバーの上端部に係脱するように吊り枠に設けたＬ字押圧片と、Ｌ字レバーに下向きに設けた係止杆と、この係止杆を下向きに付勢するように無目に設けたばねと、固定ドアの上框に設けられ、係止杆の係脱する係合溝を有するブラケットとからなるものとする。
【実施例１】
【００１７】
本発明の実施例１を図面に基づき説明する。
図６及び図７において、建物の出入り口などの開口部１２に、２枚ずつの開閉ドア１０と固定ドア１１が両引きタイプに設けられた例を示している。
前記開口部１２の上部の無目１３には、両端部に駆動プーリ２１と従動プーリ２２が設けられて駆動ベルト２０が掛け渡されている。このうち、駆動プーリ２１には、モータ、変速機、制御部などからなる駆動装置２３が連結されている。また、前記駆動ベルト２０の下部には、レール１６が取り付けられている。
【００１８】
前記開閉ドア１０は、強化ガラス２７に上框２５，下框２６が取り付けられ、また、強化ガラス２７の高さが高いときには、両側縁部に立て框２４が取り付けられて構成されている。この開閉ドア１０の上框２５には、支持横枠２８を内蔵し、この支持横枠２８には、上部回転軸２９を介して吊り枠１７の一端部に回転自在に連結され、また、吊り枠１７の他端と上框２５との間には、係脱自在の係止具３１が設けられている。
前記吊り枠１７には、２個の吊り元金具１８が設けられ、この吊り元金具１８に取り付けた車輪１９が前記レール１６に移動自在に載せられ、また、吊り元金具１８のいずれか一方の上端部が駆動ベルト２０に固着されている。なお、２枚の開閉ドア１０は、互いに逆方向に移動するように、一方の開閉ドア１０の吊り元金具１８は、駆動ベルト２０の下側に固着され、他方の開閉ドア１０の吊り元金具１８は、駆動ベルト２０の上側に固着されている。前記開閉ドア１０の下框２６には、上部回転軸２９と同一軸心となる位置に下部回転軸３０が設けられ、床面１４のガイド溝１５に遊嵌している。
【００１９】
前記固定ドア１１は、開閉ドア１０と同様、強化ガラス２７の回りが上框２５，下框２６，立て框２４で包囲されて構成されている。そして、上框２５の端部は、無目１３側に取り付けられた上部回転軸３２に軸支され、また、下框２６の端部の上部回転軸３２と同一軸心には、床面１４側に取り付けられた下部回転軸３３に軸支されている。
【００２０】
前記上部回転軸２９は、図１及び図５に示すように、上半分が吊り枠１７の図中右端にベアリング６５をもって回転自在に取り付けられ、下半分が支持横枠２８に固定的に取り付けている。この上部回転軸２９の中間部は、両側が図３に示すように切欠き直線部６２となっている。この切欠き直線部６２に臨ませた無目１３内には、上部旋回保持板５７が固定的に設けられている。この上部旋回保持板５７は、図３に示すように、上部回転軸２９と同一径の円形孔部５９と、この円形孔部５９の一方端に開口し、前記切欠き直線部６２と同一寸法の直線切欠き部６０と、この直線切欠き部６０から外側に広がったテーパー部６１とで構成されている。この上部旋回保持板５７の取り付け位置は、開閉ドア１０がスライドで開閉するときの開放端よりも少し離れ、開閉ドア１０がスイング開閉するときに上部回転軸２９が嵌合する位置である。
【００２１】
前記下部回転軸３０は、下框２６の下面に上部回転軸２９と同一軸心で取り付けられ、この下部回転軸３０にも前記切欠き直線部６２と同様両側に切欠き直線部６３が形成されている。また、床面１４には、下部旋回保持板５８が固定的に取り付けられており、この下部旋回保持板５８は、前記上部回転軸２９と同様、円形孔部５９，直線切欠き部６０，テーパー部６１が設けられ、上部旋回保持板５７と対応する位置に取り付けられる。
【００２２】
前記吊り枠１７の側面には、両端部にピン３７が取り付けられ、このピン３７にレバー３４の移動長孔３５が遊嵌し、レバー３４が吊り枠１７に沿って進退自在に設けられている。このレバー３４の図中右端の当接端４２に臨ませて無目１３側のレール１６にレバー用ストッパ３８が取り付けられている。
レバー３４の図中左端には、２本の支持片３９が一体に設けられ、この支持片３９の隙間に回転ストッパ４０が回転ピン４３により揺動自在に設けられている。この回転ストッパ４０の下方に伸びた係止片４５の途中には、係合ピン４４が取り付けられ、前記レバー３４の左端に設けられた立て向きの係合切り欠き３６に係合している。また、支持片３９には、板ばねなどからなるばね４１が取り付けられ、前記係止片４５が常時左向きに付勢されている。なお、ばね４１は、板ばねに限られるものではなく、係合ピン４４の中間部と吊り枠１７の下面との間にコイルばねを介在したり、レバー３４の中間部と吊り枠１７の中間下面との間にコイルばねを介在するようにしてもよい。
前記開閉ドア１０の上框２５の上面には、前記揺動する係止片４５が進退係合するための係止溝４６が係脱しやすいように係止片４５の下端と係止溝４６の隙間がややテーパーを持って形成されている。
【００２３】
前記吊り枠１７におけるレバー３４の取り付け面と反対面にＬ字フック４７が取り付けられ、また、このＬ字フック４７の取り付け位置に対応して、開閉ドア１０の上框２５の上面にコ字フック４８が設けられ、これらのＬ字フック４７とコ字フック４８は、開閉ドア１０のスライド開閉時に互いに係合して開閉ドア１０の戸先下がりを防止するための前記係止具３１を構成している。
【００２４】
前記吊り枠１７におけるレバー３４と同一取り付け面にＬ字押圧片５５が取り付けられている。このＬ字押圧片５５の取り付け位置に対応して、固定ドア１１の回転ストッパ４９が図４に示すように無目１３の無目カバー６６に取り付けられている。この回転ストッパ４９は、Ｌ字レバー５４がピン５６によって揺動自在に設けられ、Ｌ字レバー５４の上端部が前記Ｌ字押圧片５５に係脱する。また、Ｌ字レバー５４の下面には、下向きに係止杆５１が設けられ、さらに、Ｌ字レバー５４は、板ばねなどからなるばね５０によってＬ字レバー５４が常時起立されている。前記係止杆５１の下方の固定ドア１１における上框２５には、この係止杆５１が係脱する係合溝５３を形成したブラケット５２が取り付けられている。
図１および図２において、開閉ドア１０の開放端側には、開閉ドア１０の開放時に吊り元金具１８が当接する安全用ストッパ６４を設ける。
【００２５】
以上のように構成されたドアの開閉装置の開閉動作を説明する。
開閉ドア１０がスライドによる通常の開放をしているときは、図７に示すように、距離ａだけ移動すると停止するように駆動装置２３内でパルス数が設定されている。そのため、開閉ドア１０がスライドにより通常の開放位置まで達しても、図２に示すように、レバー３４の当接端４２がレバー用ストッパ３８の位置まで達することがなく、しかも、レバー３４がばね４１により付勢されて回転ストッパ４０の係止片４５が係止溝４６に係合し、かつ、係止具３１のＬ字フック４７がコ字フック４８に係合している。また、固定ドア１１は、回転ストッパ４９のＬ字レバー５４がばね５０により起立し、係止杆５１がブラケット５２の係合溝５３に係合している。したがって、開閉ドア１０と固定ドア１１は、ともにスイングによる開閉はできない状態となっている。この状態で開閉ドア１０は、スライドによる開閉動作をする。
【００２６】
つぎに、大きな荷物の搬出入などの場合であって、開閉ドア１０のスライドによる開放時よりも広い開口を必要とするときには、ばね４１に抗して開閉ドア１０を手動により又は別に設けたスイッチで駆動装置２３を再駆動することにより図７に示すスライドによる開放距離ａよりさらに距離ｂだけ強制的に移動させる。すると、図３に示すように、上部回転軸２９と下部回転軸３０がそれぞれ上部旋回保持板５７と下部旋回保持板５８の円形孔部５９に嵌合する。同時に、図１に示すように、開閉ドア１０とともに吊り枠１７も移動してレバー３４の当接端４２がレバー用ストッパ３８に当接し、さらにレバー３４をばね４１に抗して図中左方向に押し出される。
【００２７】
レバー３４が移動長孔３５に嵌合するピン３７にガイドされて左方向に移動すると、レバー３４の係合切り欠き３６に係合している係合ピン４４をばね４１に抗して揺動し、係止片４５が係止溝４６から外れる。
また、吊り枠１７に設けたＬ字押圧片５５により回転ストッパ４９のＬ字レバー５４がばね５０に抗して押し倒され、Ｌ字レバー５４がピン５６を支点として揺動してブラケット５２の係合溝５３から外れる。
【００２８】
この状態で開閉ドア１０を図７の鎖線方向に押し出すと、開閉ドア１０は、図３に示すように、上部回転軸２９と下部回転軸３０がそれぞれ上部旋回保持板５７と下部旋回保持板５８の円形孔部５９内で回転を始める。このとき、開閉ドア１０がわずかな角度θ（例えば、３〜５度）だけ回転すると、上部回転軸２９と下部回転軸３０はそれぞれ上部旋回保持板５７と下部旋回保持板５８から抜け出ることができなくなる。そのため、係止具３１のＬ字フック４７とコ字フック４８が外れても、開閉ドア１０は、上下で確実に保持され、戸先下がりはなくなる。なお、スイングによる開放時の戸先下がりをより確実に防止するため、駆動装置２３のモータの力で、又は停電時などの手動の場合には手の力で開閉ドア１０を上、下部旋回保持板５７、５８側に押し付けながらスイングにより開放することが望ましい。スイングにより閉じるときも同様である。
この状態で開閉ドア１０をスイングによりさらに回転すると、開閉ドア１０は、固定ドア１１とともに旋回し、図７の鎖線のように大きな開口となる。
【００２９】
元のスライドによる開閉に戻すときには、図１のように、開閉ドア１０では、回転ストッパ４０が持ち上がって係止溝４６から外れ、固定ドア１１では、回転ストッパ４９が持ち上がってブラケット５２の係合溝５３から外れたままとなっているので、その状態でスライド位置まで戻し、係止具３１のＬ字フック４７とコ字フック４８を係合する。そして、開閉ドア１０を図７の距離ｂだけ戻すと、開閉ドア１０では、レバー３４がばね４１により戻されて回転ストッパ４０の係止片４５が係止溝４６に係合する。また、固定ドア１１では、Ｌ字押圧片５５と回転ストッパ４９の係合が外れてＬ字レバー５４がばね５０により元に戻され、係止杆５１がブラケット５２の係合溝５３に係合する。そのため、開閉ドア１０と固定ドア１１は、ともにスイングによる開閉は不可能となり、開閉ドア１０がスライドにより開閉する通常状態となる。
【００３０】
前記実施例では、開閉ドア１０が自動ドアである場合を例として説明したが、本発明は、これに限られるものではなく、手動ドアの場合もそのまま利用することができる。この場合、通常のスライドによる開閉時には、開閉ドア１０と一体に移動するレバー３４の当接端４２がレバー用ストッパ３８に当接しても、ばね４１は、その反発力によりレバー３４がほとんどスライド移動しないような強さとし、スイングにより開放するときは、そのばね４１に抗してさらに強く押し込むことにより開閉ドア１０の上、下回転軸２９、３０がそれぞれ上、下旋回保持板５７、５８に嵌合するように構成する。
【図面の簡単な説明】
【００３１】
【図１】本発明によるドアの開閉装置の一実施例を示す要部を切欠き拡大したもので、スイングによる開閉可能な状態を示す正面図である。
【図２】本発明によるドアの開閉装置の一実施例を示す要部を切欠き拡大したもので、スライドにより開閉している状態を示す正面図である。
【図３】図１及び図２における上部回転軸２９及び下部回転軸３０がスライド位置から上部旋回保持板５７及び下部旋回保持板５８のスイング位置に嵌合して開閉する状態を示す横断平面図である。
【図４】本発明によるドアの開閉装置における開閉ドア１０の回転ストッパ４０と固定ドア１１の回転ストッパ４９の縦断側面図である。
【図５】本発明によるドアの開閉装置の要部の分解斜視図である。
【図６】本発明によるドアの開閉装置の正面図である。
【図７】図６における平面図である。
【符号の説明】
【００３２】
１０…開閉ドア、１１…固定ドア、１２…開口部、１３…無目、１４…床面、１５…ガイド溝、１６…レール、１７…吊り枠、１８…吊り元金具、１９…車輪、２０…駆動ベルト、２１…駆動プーリ、２２…従動プーリ、２３…駆動装置、２４…立て框、２５…上框、２６…下框、２７…強化ガラス、２８…支持横枠、２９…上部回転軸、３０…下部回転軸、３１…係止具、３２…上部回転軸、３３…下部回転軸、３４…レバー、３５…移動長孔、３６…係合切り欠き、３７…ピン、３８…レバー用ストッパ、３９…支持片、４０…回転ストッパ、４１…ばね、４２…当接端、４３…回転ピン、４４…係合ピン、４５…係止片、４６…係止溝、４７…Ｌ字フック、４８…コ字フック、４９…回転ストッパ、５０…ばね、５１…係止杆、５２…ブラケット、５３…係合溝、５４…Ｌ字レバー、５５…Ｌ字押圧片、５６…ピン、５７…上部旋回保持板、５８…下部旋回保持板、５９…円形孔部、６０…直線切欠き部、６１…テーパー部、６２…切欠き直線部、６３…切欠き直線部、６４…安全用ストッパ、６５…ベアリング、６６…無目カバー。
【図１】
2006274640.tif 000003
【図２】
2006274640.tif 000004
【図３】
2006274640.tif 000005
【図４】
2006274640.tif 000006
【図５】
2006274640.tif 000007
【図６】
2006274640.tif 000008
【図７】
2006274640.tif 000009